(57)【要約】【課題】伝搬周波数の調整にあたって、操作が容易で、周波数及び結合度の調整範囲が狭く制限されることのない帯域通過フィルタを提供する。【解決手段】内部に矩形導波路を有し、一の内壁から一の内壁に相対向する内壁側に延設されて非対称の誘導性窓を形成する複数の仕切壁１２が一体に形成された矩形導波管１１、１５と、一の内壁に相対向する内壁に配置された誘電体１４と、誘電体１４及び仕切壁１２から離間した位置に配置され、誘導性窓に突出する長さによって導波路の伝搬周波数及び結合度を調整する周波数・結合度調整ビス１３とを備える帯域通過フィルタ。誘電体１４をフッ素樹脂で形成することができる。【選択図】　図１
2004147001.tif 000002
【特許請求の範囲】
【請求項１】
内部に矩形導波路を有し、一の内壁から該一の内壁に相対向する内壁側に延設されて非対称の誘導性窓を形成する複数の仕切壁が一体に形成された矩形導波管と、
前記一の内壁に相対向する内壁に配置された誘電体と、
該誘電体及び前記仕切壁から離間した位置に配置され、前記誘導性窓に突出する長さによって前記導波路の伝搬周波数及び結合度を調整する周波数・結合度調整ビスとを備えることを特徴とする帯域通過フィルタ。
【請求項２】
前記誘電体をフッ素樹脂で形成したことを特徴とする請求項１記載の帯域通過フィルタ。
【発明の詳細な説明】
【０００１】
【発明の属する技術分野】
本発明は、帯域通過フィルタに関し、特に、矩形導波管と誘電体とを組み合わせて構成した帯域通過フィルタに関する。
【０００２】
【従来の技術】
従来、帯域通過フィルタには、矩形導波管をその底面から適当な長さで仕切ることによって誘導性窓を形成し、フィルタとして動作させるものが提案されている（例えば、特許文献１参照）。
【０００３】
この帯域通過フィルタは、図６に示すように、一側面を開口とした矩形導波路３９に、非対称の誘導性窓４０を形成する仕切壁３２が帯域周波数に応じて所定間隔で複数一体形成されてなる本体３１と、矩形導波路３９の開口面を塞ぐようにして接合されるカバー３５とを備え、矩形導波路３９の伝搬周波数を調整する周波数調整ビス３７を仕切壁３２間の中間の位置に設け、結合度を調整する結合度調整ビス３８をカバー３５から仕切壁３２に向かって設けて結合度を調整している。
【０００４】
【特許文献１】
特許第３０２５９３０号公報
【０００５】
【発明が解決しようとする課題】
しかし、上記従来の帯域通過フィルタにおいては、伝搬周波数を低くするには周波数調整ビス３７の挿入量を増加させる必要があるが、周波数調整ビス３７の挿入量を増やすと、通過帯域幅が狭まってしまうという問題があり、その都度、通過帯域幅を結合度調整ビス３８で調整しなければならず、操作が煩雑であるという問題があった。また、これらの調整ビス３７、３８による調整には限度があり、周波数及び結合度の調整範囲が狭く制限されるという問題があった。
【０００６】
そこで、本発明は、上記従来の帯域通過フィルタにおける問題点に鑑みてなされたものであって、伝搬周波数の調整にあたって、操作が容易で、周波数及び結合度の調整範囲が狭く制限されることもない帯域通過フィルタを提供することを目的とする。
【０００７】
【課題を解決するための手段】
上記目的を達成するため、請求項１記載の発明は、帯域通過フィルタであって、内部に矩形導波路を有し、一の内壁から該一の内壁に相対向する内壁側に延設されて非対称の誘導性窓を形成する複数の仕切壁が一体に形成された矩形導波管と、前記一の内壁に相対向する内壁に配置された誘電体と、該誘電体及び前記仕切壁から離間した位置に配置され、前記誘導性窓に突出する長さによって前記導波路の伝搬周波数及び結合度を調整する周波数・結合度調整ビスとを備えることを特徴とする。
【０００８】
そして、請求項１記載の発明によれば、非対称の誘導性窓を形成する仕切壁に相対向するように誘電体を設置することで誘電体に電界を集中させ、周波数・結合度調整ビスを挿入することで空気中よりも調整ビスの導波管内の電磁界に与える影響を強め、少ない挿入量で調整を行うことができる。また、誘電体の厚みと誘電率を適切に選択することで所望の通過帯域幅を広い周波数範囲で実現することができる。また、周波数・結合度調整ビスにより、共振周波数と結合度を同時に調整することができる。
【０００９】
請求項２記載の発明は、請求項１記載の帯域通過フィルタの好ましい一形態として、前記誘電体をフッ素樹脂で形成したことを特徴とする。
【００１０】
【発明の実施の形態】
次に、本発明の実施の形態について図面を参照しながら説明する。
【００１１】
図１乃至図３は、本発明にかかる帯域通過フィルタの一実施の形態を示し、この帯域通過フィルタは、導電材からなる本体１１に、一側面を開口したコ字状の導波路が形成され、この導波路を内壁から仕切る複数の仕切壁１２が一体形成されている。導電材からなるカバー１５は、本体１１に対して導波路の開口側面を塞ぐように設けられ、これによって、導波路に非対称の誘導性窓が形成される。
【００１２】
本体１１の開口部には、位置決め溝１６が形成され、この位置決め溝１６に誘電体１４が固定される。また、誘電体１４と仕切壁１２から離間した位置に、本体１１内に突出する長さによって導波路の伝搬周波数及び結合度を調整する周波数・結合度調整ビス１３が複数配置される。
【００１３】
上記構成を有する帯域通過フィルタでは、矩形導波管内に誘電体１４を挿入しているため、管内波長が短くなり、結合度が強くなり、通過帯域幅が大きくなる。この働きは、誘電体１４をより厚くする程、また、誘電率を高くする程顕著になる。これに加え、誘電体１４の近傍の周波数・結合度調整ビス１３を挿入する際にも、誘電体１４によって電磁界が集中しているため、空気中に比べて導波管内の電磁界に与える影響が大きくなり、少ないビスの挿入量で影響を与えることができる。
【００１４】
次に、本発明にかかる帯域通過フィルタの一実施例として、２３ＧＨｚ帯の通過帯域幅を８００ＭＨｚに設計した帯域通過フィルタにおける周波数シフト実測図を図４に示す。
【００１５】
誘電体として厚さ１．０ｍｍのフッ素樹脂を用いた場合には、フッ素樹脂を用いない場合に比べて伝搬周波数が１５０ＭＨｚ程度低くなり、通過帯域幅が１００ＭＨｚ程大きくなることが判る。このときの周波数・結合度調整ビス１３の挿入量はフッ素樹脂あり／なしで同じである。すなわち、誘電体１４がない場合には、通過帯域幅を得るためにさらに周波数・結合度調整ビス１３を挿入する必要があり、誘電体１４を挿入することによってより少ないビス挿入量で所望の通過帯域幅を得ることができる。
【００１６】
次に、本発明にかかる帯域通過フィルタのもう一つの実施の形態について図５を参照しながら説明する。
【００１７】
この帯域通過フィルタは、上記本体を鋳物で製造した場合を示し、仕切壁２２を一体化した本体２１に抜きテーパ角度が若干生じるので、開口部に誘電体２４を置くだけで固定することができ、本体２１の開口部をカバー２５で覆うことによって帯域通過フィルタを形成することができ、上記実施の形態と同様の特性を得ることができる。
【００１８】
【発明の効果】
以上説明したように、本発明によれば、伝搬周波数の調整にあたって、操作が容易で、周波数及び結合度の調整範囲が狭く制限されることのない帯域通過フィルタを提供することができる。
【図面の簡単な説明】
【図１】本発明にかかる帯域通過フィルタの一実施の形態を示す分解斜視図である。
【図２】図１の帯域通過フィルタの側面図である。
【図３】図１のＡ−Ａ線断面図である。
【図４】図１の帯域通過フィルタに類似する帯域通過フィルタの伝搬周波数と−３ｄＢ通過帯域幅の関係を示した実測グラフである。
【図５】本発明にかかる帯域通過フィルタのもう一つの実施の形態を示す断面図である。
【図６】従来の帯域通過フィルタの一例を示す分解斜視図である。
【符号の説明】
１１　　　　本体
１２　　　　仕切壁
１３　　　　周波数・結合度調整ビス
１４　　　　誘電体
１５　　　　カバー
１６　　　　位置決め溝
１８　　　　結合度調整ビス
１９　　　　導波路
２１　　　　本体
２２　　　　仕切壁
２３　　　　周波数・結合度調整ビス
２４　　　　誘電体
２５　　　　カバー
【図１】
2004147001.tif 000003
【図２】
2004147001.tif 000004
【図３】
2004147001.tif 000005
【図４】
2004147001.tif 000006
【図５】
2004147001.tif 000007
【図６】
2004147001.tif 000008